(57)【要約】【課題】内圧上昇による吸飲口からの飲料の噴出を効果的に防止でき、分解しやすく洗浄しやすい飲料容器用キャップ及びそれを用いた飲料容器の提供を目的とする。【解決手段】容器本体の開口部に水密に装着できる蓋体と、可撓性を有する吸飲チューブとを備え、蓋体は、容器内外を仕切る遮蔽部材と、吸飲チューブの屈伸により内部流路を開閉するバルブ装置と、遮蔽部材に設けた通気孔を開閉する通気孔開閉装置とを有し、吸飲チューブは、吸飲チューブ周囲を水密にして遮蔽部材を貫通していることを特徴とする。【選択図】  図１
2007176537.tif 000002
【特許請求の範囲】
【請求項１】
容器本体の開口部に水密に装着できる蓋体と、可撓性を有する吸飲チューブとを備え、
蓋体は、容器内外を仕切る遮蔽部材と、吸飲チューブの屈伸により内部流路を開閉するバルブ装置と、遮蔽部材に設けた通気孔を連通及び遮断する通気孔開閉装置とを有し、
吸飲チューブは、吸飲チューブ周囲を水密にして遮蔽部材に設けてあることを特徴とする飲料容器用キャップ。
【請求項２】
バルブ装置の開閉操作に連動して、通気孔開閉装置が通気孔の連通及び遮断の動作をするものであることを特徴とする請求項１記載の飲料容器用キャップ。
【請求項３】
バルブ装置は、所定の位置に位置決め可能な摺動自在のスライダと、吸飲チューブの側部が当接する屈曲支点部材とを有し、
スライダが吸飲チューブの側部を押圧すると、屈曲支点部材を起点にして吸飲チューブが屈曲し、その内部流路を閉じるものであることを特徴とする請求項１又は２に記載の飲料容器用キャップ。
【請求項４】
通気孔開閉装置は、弁座と、スライダに突設した弁体とを有し、
弁座は、通気孔を有するとともに遮蔽部材に設けてあり、スライダの摺動により弁体が弁座に設けた通気孔に当接したときに通気孔を遮断するものであることを特徴とする請求項３記載の飲料容器用キャップ。
【請求項５】
スライダは、少なくとも２箇所に弁体を有し、
スライダの摺動操作により吸飲チューブを屈曲させた状態と、吸飲チューブを伸長にした状態とにて弁体が弁座に当接するものであることを特徴とする請求項４記載の飲料容器用キャップ。
【請求項６】
蓋体は、吸飲チューブの吸飲口を収納する吸飲口収納部を有し、
スライダが吸飲チューブの側部を押圧して吸飲チューブを屈曲させると吸飲口が吸飲口収納部に収納されるものであることを特徴とする請求項３〜５のいずれかに記載の飲料容器用キャップ。
【請求項７】
蓋体は、外側シェルと内側シェルとスライダとからなり、
外側シェルには、吸飲チューブの吸飲口用開口部を設けてあり、内側シェルには、弁座を有する遮蔽部材と屈曲支点部材と吸飲チューブの吸飲口収納部を設けてあり、
スライダは、弁座に当接する弁体を２箇所に有し且つ、外側シェルと内側シェルとの間に摺動自在に設けてあるとともに外側シェルに設けた吸飲口用開口部を開閉するものであり、スライダが閉の状態から開の状態に移動する際に、通気孔開閉装置が通気孔を遮断から連通にした状態になった後にバルブ装置が閉から開の状態になり、吸飲チューブの吸飲口が吸飲口用開口部から突出し、スライダが全開の状態では通気孔開閉装置は再度通気孔を遮断した状態になるものであることを特徴とする請求項６記載の飲料容器用キャップ。
【請求項８】
請求項１〜７のいずれかに記載の飲料容器用キャップを、開口部を有する容器本体の開口部に装着したものであることを特徴とする飲料容器。
【発明の詳細な説明】
【技術分野】
【０００１】
本発明は、ストロー等の吸飲チューブ付飲料容器用キャップ及びそれを用いた飲料容器に関する。
【背景技術】
【０００２】
従来から開口部を有する容器本体に液体飲料を入れ、ストロー等の吸飲チューブを止水可能に取り付けた蓋体で容器本体の開口部を密閉して液体もれを防止し、飲みたいときに吸飲チューブを通水可能にして吸飲チューブから飲料を飲むタイプの飲料容器は公知である。
しかし、この種の飲料容器ではストローの先が液体飲料内まで延びているので、液体飲料が温かい場合に容器内部の空気が温められ、内圧が昇圧してしまい、吸飲チューブを通水可能にした際に空気圧に押されて温かい液体飲料が吸飲口から噴き出してしまう問題があった。
そこでこのような問題を解決した技術として特許文献１及び２がある。
【０００３】
特許文献１は、ストローを覆う蓋体の回動部に容器内外の通気孔を設け、蓋体の開閉又は蓋体の開閉ロックレバーの回動により通気孔の開閉を操作することで、吸飲する前に内部の圧力を外部に逃がす技術を開示する。
蓋体を開く動作に伴って内部圧を外部に逃がすことができる点では利点があるが、通気孔が回動軸部に設けられているために、ゴミや埃を巻き込みやすく、ゴミ等を巻き込むと、通気孔の密閉性が低下するだけではなく、蓋体等が障害になり充分な洗浄ができずに衛生上の問題も発生しやすい。
【０００４】
特許文献２は、ストローの吸い口部を覆うキャップの開動作によって容器内外の通気孔の開閉バルブを開く技術を開示する。
しかし、ストローキャップを水平軸線周りに揺動可能に装着した軸部に、容器内外の連通路を開閉する弁体を設けた点においては、特許文献１と同様に回動軸部に通気孔を設けたものであり、ゴミや埃の巻き込みの問題があり、連通路が複雑な構造になっていて洗浄が困難で分解等の洗浄メンテナンスも難しい。
【０００５】
【特許文献１】特開２００１−３９４５８号公報
【特許文献２】特開２００２−３２１７４１号公報
【発明の開示】
【発明が解決しようとする課題】
【０００６】
本発明は上記技術的課題に鑑みて、内圧上昇による吸飲口からの飲料の噴出を効果的に防止でき、分解しやすく洗浄しやすい飲料容器用キャップ及びそれを用いた飲料容器の提供を目的とする。
【課題を解決するための手段】
【０００７】
請求項１記載の発明に係る飲料容器用キャップは、容器本体の開口部に水密に装着できる蓋体と、可撓性を有する吸飲チューブとを備え、蓋体は、容器内外を仕切る遮蔽部材と、吸飲チューブの屈伸により内部流路を開閉するバルブ装置と、遮蔽部材に設けた通気孔を連通及び遮断する通気孔開閉装置とを有し、吸飲チューブは、吸飲チューブ周囲を水密にして遮蔽部材に設けてあることを特徴とする。
【０００８】
ここで、容器本体の開口部に水密に装着できる蓋体とは、蓋体を容器本体の開口部に、飲料が外部にもれないように水密性を有して装着できれば手段を問わず、螺着あるいは嵌着でもよい。
容器本体は、液体飲料を容器内に注ぐことができる開口部を有する容器であれば、形状や構造を問わず全ての容器本体が対象になる。
【０００９】
可撓性を有する吸飲チューブとは、折り曲げても元に戻る屈曲性と伸長性を有していればよく、ストローを包含する吸飲用の管材の全てを意味し、シリコンチューブが例として挙げられる。
また、吸飲チューブは蓋体に一体的に設けても別体としてもよい。
【００１０】
バルブ装置とは、吸飲チューブを屈伸できる装置をいい、吸飲チューブの中間部を屈曲するように外力を加えると、チューブの内部流路が閉じ、外力を排除すると吸飲チューブが伸長し、その内部流路が開くことをいう。
吸飲チューブの屈曲する部位は、特に限定されないが遮蔽部材から外側に出ている部位が操作しやすく好ましい。
【００１１】
本発明において、容器内外を仕切る遮蔽部材とは、吸飲チューブが貫通して設けられており、容器内外を連通する通気孔を有していて、容器本体の開口部を覆うように塞ぐものを意味する。
【００１２】
請求項２記載の発明は、バルブ装置の開閉操作に連動して、通気孔開閉装置が通気孔の連通及び遮断の動作をするものであることを特徴とする。
【００１３】
バルブ装置の開閉操作に、通気孔開閉装置の通気孔の連通及び遮断の動作を連動させたことにより、バルブ装置の開閉操作のみで容器内外の空気の連通及び遮断が可能になる。
【００１４】
請求項３に記載の発明は、バルブ装置は、所定の位置に位置決め可能な摺動自在のスライダと、吸飲チューブの側部が当接する屈曲支点部材とを有し、スライダが吸飲チューブの側部を押圧すると、屈曲支点部材を起点にして吸飲チューブが屈曲し、その内部流路を閉じるものであることを特徴とする。
バルブ装置の好ましい構造例を示したものである。
【００１５】
請求項４に記載の発明は、通気孔開閉装置は、弁座と、スライダに突設した弁体とを有し、弁座は、通気孔を有するとともに遮蔽部材に設けてあり、スライダの摺動により弁体が弁座に設けた通気孔に当接したときに通気孔を遮断するものであることを特徴とする。
通気孔開閉装置の好ましい構造例を示したもので、スライダに突設した弁体を設けたことにより、スライダの操作にてバルブ装置の開閉と通気孔開閉装置の開閉との２つの動作を連動させることができる。
【００１６】
請求項５に記載の発明は、スライダは、少なくとも２箇所に弁体を有し、スライダの摺動操作により吸飲チューブを屈曲させた状態と、吸飲チューブを伸長にした状態とにて弁体が弁座に当接するものであることを特徴とする。
吸飲チューブが屈曲した状態と伸長した状態とに弁座の通気孔を塞ぐようにスライダの２箇所に弁体を設けることで、バルブ装置が閉じた状態と開いた状態との両方にて通気孔が遮断されていて、バルブ装置が開き動作又は閉じ動作の途中では通気孔が連通した状態になる。
従って、バルブ装置が閉じたときには、吸引チューブが屈曲していて内部流路が閉じた状態になり、且つ通気孔が遮断した状態にあり、温かい液体飲料にて容器内部の空気が膨張し内部圧が昇圧するが、バルブ装置を開き始めると、まず、弁体が弁座から離れるので通気孔から内部の圧が外部に逃げ、その後に吸飲チューブが伸長するので、吸飲チューブの吸飲口から温かい飲料が噴き出すのを効果的に防止する。
【００１７】
請求項６に記載の発明は、蓋体は、吸飲チューブの吸飲口を収納する吸飲口収納部を有し、スライダが吸飲チューブの側部を押圧して吸飲チューブを屈曲させると吸飲口が吸飲口収納部に収納されるものであることを特徴とする。
蓋体に吸飲チューブの吸飲口収納部を設けることにより、スライダが閉じた際に吸飲チューブの吸飲口が蓋体に収納され、容器外部に吸飲チューブが突出しないようにしたものであり、これにより衛生的になる。
【００１８】
請求項７に記載の発明は、蓋体は、外側シェルと内側シェルとスライダとからなり、外側シェルには、吸飲チューブの吸飲口用開口部を設けてあり、内側シェルには、弁座を有する遮蔽部材と屈曲支点部材と吸飲チューブの吸飲口収納部を設けてあり、スライダは、２箇所に弁座に当接する弁体を有し且つ、外側シェルと内側シェルとの間に摺動自在に設けてあるとともに外側シェルに設けた吸飲口用開口部を開閉するものであり、スライダが閉の状態から開の状態に移動する際に、通気孔開閉装置が通気孔を遮断から連通にした状態になった後にバルブ装置が閉から開の状態になり、吸飲チューブの吸飲口が吸飲口用開口部から突出し、スライダが全開の状態では通気孔開閉装置は再度通気孔を遮断した状態になるものであることを特徴とする。
蓋体の好ましい構造例を示したものである。
【００１９】
請求項１〜７のいずれかに記載の飲料容器用キャップは、各種容器本体に装置することで温かい液体飲料を入れてもスライダの開閉操作に連動して効果的に昇圧した内部圧を外部に逃すことができる飲料容器となる。
【発明の効果】
【００２０】
本発明においては、飲料容器用キャップにシリコン樹脂製のチューブ等可撓性の有する飲料チューブを設けるとともに、吸飲チューブの屈伸によるその内部流路の開閉バルブ装置と容器内外を連通させた通気孔の通気孔開閉装置とを設けたことにより、温かい液体飲料を飲料容器に収容した場合に内部の昇圧した圧力を通気孔から外部に逃がすことができ、吸飲チューブの吸飲口から不意に液体飲料が噴き出すのを効果的に防止する。
バルブ装置の開閉操作に通気孔開閉装置を連動させることにより、バルブ装置の開き操作のみで確実に内部昇圧を除圧できる。
バルブ装置を位置決め可能な摺動自在のスライダと吸飲チューブの側部に当接する屈曲支点部材とで構成すると、スライダのスライド操作にて吸飲チューブの内部流路の開閉操作ができる。
また、スライダに突設した弁体を設け、遮蔽部材側に容器内外を連通させた通気孔を有する弁座を設けることで、バルブ装置と通気孔の開閉装置を連動させることができる。
スライダにスライダが閉じた状態と開いた状態とにて弁座に当接する少なくとも２箇所の弁体を設けると、スライダが開いた状態即ち、吸飲可能になった状態と、スライダが閉じた状態即ち、吸飲しない状態の両方にて通気孔が遮断され、スライダの開閉操作の途中が通気孔が連通した状態になることになる。
よって、スライダが開き始め、吸飲チューブが伸長する前の状態で通気孔が連通して昇圧した内部圧を除圧し、その後に吸飲チューブが伸長し、その内部流路が連通するので、温かい飲料を入れてあっても吸飲口から液体飲料が不意に噴き出すことはない。
また、スライダが完全に開き、吸飲チューブが伸長した状態でも弁体が弁座に当接するので、吸飲している最中に通気孔から飲料が不意にもれることもない。
【００２１】
蓋体に吸飲チューブの吸飲口収納部を設けると、スライダの開閉操作と連動して吸飲口が突没し、吸飲しないときに外部に吸飲口が突出していないので衛生的である。
【００２２】
蓋体を外側シェルと内側シェルの間に摺動自在にスライダを設けた構造にすると、蓋体の分解、組立てが容易で洗浄しやすい。
また、スライダの摺動にて弁体と弁座が当接する構造なので、ゴミ等の巻き込みが少なく弁座の通気孔がつまりにくく弁座の洗浄もしやすい。
【発明を実施するための最良の形態】
【００２３】
本発明に係る飲料容器用キャップ及び飲料容器の実施例を以下図面に基づいて説明する。
図１は飲料容器の縦断面図を示し、図２は斜視図を示す。
図３は飲料容器用キャップ１０（以下、単にキャップと称する。）の分解図を示し、図４（ａ）は外側シェル７６の裏面図を示し、図４（ｂ）はスライダ７１の裏面図を示し、図４（ｃ）はスライダ７１の断面図を示す。
図５はキャップ１０の拡大断面図で、図５（ａ）はスライダ７１が全開位置にある状態を示し、図５（ｂ）はスライダ７１が全閉位置にある状態を示す。
飲料容器は、開口部３１と飲料収容部３２を有する容器本体３０と、蓋体４０に吸飲チューブ６０を取り付けたキャップ１０とからなる。
容器本体３０には、図２に示すように必要に応じて持手１２を形成してあり、本発明に係るキャップが装着できれば容器の形状、構造は限定されない。
キャップ１０は、容器本体３０の開口部３１に密閉装着して飲料１を密閉収容可能で且つ、後述するスライダを開くことで、吸引チューブ６０の吸飲口６２が飛び出し、飲料１を飲めるようになっている。
キャップを構成する蓋体４０は、内側シェル５０、外側シェル７６及びその間にスライド自在に取り付けたスライダ７１を有している。
内側シェル５０は、容器本体の開口部を覆うように塞ぐ遮蔽部材であり、吸飲チューブ取付孔５１と弁座取付孔５４とを有し、容器本体３０の開口部３１の雄ネジ部３１ａに螺合する雌ネジ部５０ａを有している。
蓋体４０の内側シェル５０と容器本体３０の開口部３１とを螺合装着する際にパッキン等のシール材４２を用いてシールする。
なお、蓋体を容器本体に水密にシール装着できればよく、本実施例に限定されない。
吸飲チューブ取付孔５１に吸飲チューブ６０を装着し、弁座取付孔５４に弁座２１をシール装着してある。
【００２４】
吸飲チューブ６０は、図５、図６に示すように、シリコンゴム製等の弾性材料製で、屈曲自在で、側面を挟むとチューブ孔６０ａを閉じる弾性管よりなり、一端に吸飲口６２を設け他端にストロー取付部６４を設け、吸飲口６２とストロー取付部６４の間に抜止鍔６３を有する。
抜止鍔６３は、吸飲チューブ６０の長さ方向に所定間隔隔てて、２重に側面を鍔形に突出させて形成してあり、吸飲口６２側を外部空間側になるように内部空間１１側から抜止鍔６３を弾性変形させて吸飲チューブ取付孔５１に嵌めることで、洗浄時に取り外しできる。
ストロー取付部６４にはストロー２の一端を内挿してストロー取付部６４とストロー２との間を密閉して連結する。
【００２５】
キャップ１０において蓋体４０の内側シェル５０と、外側シェル７６とスライダ７１とを分離した状態を図３に示し、弁座２１は弾性材料製で、内側シェル５０を外部空間側に略半球形に膨出させて形成した頂部に設けた弁座取付孔５４に弾性変形させて取り付けることで水密にシール装着する。
図１、図３に示すように内側シェル５０の吸飲チューブ取付孔５１部分から、チューブ側部６１を傾斜させた方向側は凹ませた吸飲口収納部４１を形成し、この吸飲口収納部４１のチューブ側部６１の側面に沿って所定高さの屈曲支点部材５５を立設して設けてある。
【００２６】
弁座２１は弁座取付５４に装着することで、内側シェル５０を挟んで内部空間１１と外部空間側とを通気孔２１ａで連通する。
なお、図５に示すように、吸飲チューブ取付孔５１には吸飲チューブが取付やすいように取付台座５０ｃを形成してある。
遮蔽部材である内側シェル５０により飲料容器用キャップ１０の内部空間１１と外部空間とを隔てて、吸飲チューブ６０のチューブ孔６０ａと、弁座２１の通気孔２１ａを除いて内部空間１１を密閉している
【００２７】
外側シェル７６は、内側シェル５０の略半球形の外面に沿い、略同心の略半球形よりなり、図４（ａ）に示す係止爪７６ａを図３に示す内側シェルの係止爪受け部５６に係合させて内側シェル５０に取り付ける。
外側シェル７６は、図４に示すように、内側シェルに設けた内側シェルガイドレール５３に対応して内側面を外側向きに膨出させて凹ませた一対の外側シェルガイドレール７７を設け、この外側シェルガイドレール７７間は開口させてスライダ用開口部７８を設けてある。
図５に示すように外側シェル７６を内側シェル５０に取り付けた状態では、１対の内側シェルガイドレール５３のガイド凹部５３ａと１対の外側シェルガイドレール７７とでスライド溝７０を形成する。
スライダ７１のつまみ７５をスライダ用開口部７８から外部に突出させて、スライダ７１のスライド片７４を内側シェルガイドレール５３と外側シェルガイドレール７７の間に形成したスライド溝７０に挿入し、スライダ７１を摺動自在に、そして脱落不能に収納する。
【００２８】
スライダ７１のスライド方向は図５に示すように内側シェルの半球形外面に沿う略同心となる断面略弧形に形成し、スライダ本体７３の両側にスライド片７４を有している。
スライダ本体７３は、幅は外側シェル７６のスライダ用開口部７８の幅と略等しい幅に形成し、長さは吸飲チューブ用開口部７８ａのスライド方向の長さよりも長く、図５（ｂ）に示すようにスライド全閉位置で後部が弁座２１上となる長さに形成してある。
このスライダ本体７３の幅方向は、図４（ｃ）にスライダ７１の幅方向の断面図を示すように外向きに湾曲して膨らんだ断面略弧形に形成してある。
スライダ本体７３のスライド閉方向端部には押込部７２を設けてある。
スライド片７４はスライダ本体７３のスライド方向に渡り幅方向に突出させて形成してある。
スライド片７４のスライド方向前後の所定位置には、固定用凹部７４ａ、７４ｂを設けてある。
スライダ本体７３の裏側のスライド方向前後の所定位置には突出させた弁体２２、２３を形成してある。
図５（ａ）では、スライダ７１はスライド片７４を内側シェルガイドガイドレール５３のガイド凹部５３ａと外側シェルガイドレール７７間にスライド摺動自在に配設し、内側シェルガイドレール５３の固定用凸部５３ｂとスライド片７４の前側の固定用凹部７４ａとを、係止してスライド全開に位置固定してある。
【００２９】
図５（ａ）のスライダ７１がスライド全開位置にある時は、吸飲チューブ６０のチューブ側部６１は非屈曲状態となり、伸長してチューブ孔６０ａを開いて、吸飲チューブ用開口部７８ａから吸飲口６２を外部に突出させる。
このスライド全開位置で、スライダ７１に設けた弁体２３は弁座２１に対応した位置になり弁座２１の通気孔２１ａを塞ぐ。
つまみ７５を摘んで、スライダをスライド全開から前進させると、スライダ７１の押込部７２は吸飲チューブ６０のチューブ側部６１を押して、その押し込みにより吸飲チューブ６０を屈曲支点部材５５を起点にして鋭角的に折曲げ、吸飲口６２を吸飲口収納部４１内に案内して収納する。
そして同時にスライダ本体７３はスライド全閉位置で図２に示す吸飲口用開口部７８ａを閉じる。
図５（ｂ）に示すようにスライダ用開口部７８の吸飲口用開口部７８ａ以外の部分の内側は内側シェル５０の外面があり塞がれている。
これにより、吸飲口用開口部７８ａがスライダ本体７３で閉じられると、吸飲口収納部４１に収納されたチューブはスライダ本体７３と内側シェル５０とで囲まれて外部に露出しなくなる。
スライダ７１のスライド前進直後に弁体２３が弁座２１から離れて弁座２１の通気孔２１ａにより外部空間と内部空間１１の空気部分とを連通させ、スライド全閉でスライダ７１の後ろ側の別の弁体２２が弁座２１位置に至って弁座２１の通気孔２１ａを遮断するように配設してある。
スライド全閉位置ではスライダ７１は、図３、図４（ｂ）に示す後ろ側の固定用凹部７４ｂを図３に示す内側シェルガイドレール５３の固定用凸部５３ｂに係止させて位置固定する。
なお、スライダを所定の位置に固定できれば、固定方法は限定されない。
【００３０】
逆に図５（ｂ）に示すスライド全閉位置からスライダ７１を後退させると、スライダ本体７３が後退して、図５（ａ）に示すように吸飲口用開口部７８ａが開き、同時にスライダ７１によるチューブ側部６１の側面の押圧を解除してチューブは弾性復帰し、伸長状態となり、吸飲口６２を吸飲口用開口部７８ａから突出させて、チューブ孔６０ａを開く。
このとき、スライド後退直後に弁体２２は弁座２１から離れ、通気孔２１ａを連通させ、外部空間と内部空間１１の空気が連通し、スライド全開において弁体２３が弁座２１位置に至って通気孔２１ａを遮断する。
ここでスライダが吸飲口をスライド収納できれば外側シェル７６と内側シェル５０は必ずしも略半球形でなくても良い。
【００３１】
このように、本発明の飲料容器用キャップ１０は、通気孔開閉装置を内側シェル５０に取り付けた弁座２１と、スライダ７１の裏面に設けた２箇所の弁体２２、２３とで構成し、吸飲チューブを屈曲及び伸長するバルブ開閉装置をスライダと内側シェルに設けた屈曲支点部材とで構成したので、スライダの動きでバルブ開閉装置と通気孔開閉装置が連動する。
これにより、次のように作用する。
【００３２】
スライダ７１の位置で、弁座２１と弁体２２、２３との当接位置を変え、弁座２１の通気孔２１ａを通して内部空間１１と外部空間との連通と遮断を切り替える。
弁体２２はスライド全閉で弁座２１と合う位置に設けてあるため、吸飲口を突出させるためのスライド操作を開始した直後で、まだ吸飲口用開口部７８ａが開き始めたばかりの、チューブ孔６０ａが密閉されている時に、弁座２１の位置から移動して内部空間１１と外部空間とを連通する。
これにより熱い飲料を、図５（ｂ）のようにチューブ孔６０ａをつぶして密閉し、弁座２１の通気孔２１ａも遮断した密閉状態で飲料容器に収納している場合に、熱により膨張して飲料の液面を加圧している内部空間１１内の空気を、スライド開操作開始直後に通気孔２１ａを通して外部空間に排気して内部空間１１を除圧し、吸飲口６２を開いた際の飲料の噴出を防止している。
また、図５（ａ）のようにスライド全開においても弁座２１と合うように弁体２３を配設することで、飲料を飲んでいる最中等に不用意に飲料容器を傾けても、飲料が漏れないようにしている。
【００３３】
飲料容器用キャップは、図３に示す内側シェルガイドレール５３と、図４（ａ）に示す外側シェル７６に設けた外側シェルガイドレール７７とを合わせて形成したスライド溝７０にスライダ７１を配置する重ね合わせの構造で形成しているため簡単に分解出来る。
図６に飲料容器用キャップを分解した縦断面図を示し、飲料容器の分解構造について説明する。
内側シェル５０は、雌ネジ部５０ａの外側に設けてある指掛部５０ｂに指をかけて回して容器本体開口部の雄ネジ部３１ａと間の螺合を外して容器本体３０と分離する。
外側シェル７６は、係止爪７６ａ付近の外面を鍔形に突出させた図２に示す指掛部７６ｂに指をかけて、係止爪７６ａを図３に示す内側シェルの係止爪受け部５６から外して取り外す。
外側シェル７６を取り外すと、スライダ７１はそのまま取り外せる。
弁座２１は内側シェル５０の弁座取付孔５４から弾性変形させつつ取り外す。
吸飲チューブ６０は、抜止鍔６３を吸飲チューブ６０の側面方向に図１に示す吸飲チューブ取付台座５０ｃよりも突出させて設けた図示しない指掛部に指をかけて、抜止鍔６３部分を弾性変形させつつ吸飲チューブ取付孔５１から抜いて内側シェル５０から取り外す。
分離した吸飲チューブ６０のストロー取付部６４からは図１に示すストロー２を抜いて取り外す。
飲料容器はこのように各部品を簡単に分解でき充分に洗浄して、常に衛生的に使用出来る。
【００３４】
図７及び図８に本発明に係る飲料容器用キャップの他の実施例を示す。
外側シェル１７６と内側シェル１５０との間に摺動自在にスライダ７１ａを設けてあり、本実施例はスライダが平面スライドタイプになっていてスライダ７１ａが前進すると押圧部７２ａが吸飲チューブ６０の側部を押圧し、屈曲支点部材５５ａを起点に折れ曲がり内部流路６０ａが閉じる。
内側シェルには弁座２１を取り付けてあり、スライダの裏面に突設した弁体２２、２３を２箇所に設けてある。
図８（ｂ）に示すように、スライダの７１ａが前進して吸飲チューブを閉じている状態で弁体２２が弁座２１に当接しているので吸飲チューブが閉じた状態からつまみ７５ａの操作によりスライダが後退し始めると弁座２１から弁体２２が離れ、容器内外が通気孔で連通し、内部昇圧した圧力が外部に逃げる。
その後に押圧部７２ａが吸飲チューブから離れ、吸飲チューブが伸長し、吸飲できるようになる。
図８（ａ）に示すようにスライダが後退し、吸飲チューブが伸長している状態でも弁体２３が弁座に当接している。
【００３５】
図９に回動スライドタイプの飲料容器用キャップの実施例を示す。
図９（ａ）は、外観斜視図を示し、図９（ｂ）は平面図を示す。
遮蔽部材２５０には、通気孔を有する弁座１２１を設けてあり、スライダ１７１には弁体１２３と、その左右に２箇所の弁体１２２ａ、１２２ｂを設けてある。
バルブ装置は、吸飲チューブ６０の屈曲支点部材１５５と回動するスライダ１７１にて構成されている。
吸飲チューブ６０が伸長状態のときには、中央の弁体１２３が弁座１２１に当接していて吸飲チューブ６０は、スライダ１７１を右に廻しても左に廻しても屈曲し、この場合に図９（ｂ）にて説明すると、スライダ１７１を右廻りに回動すると弁体１２２ａが弁座１２１に当接するようになり、左廻りに回動すると弁体１２２ｂが弁座１２１に当接するようになる。
従って、バルブ装置を閉じて吸飲チューブ６０が屈曲している状態では、通気孔開閉装置の弁体１２２ａ、１２２ｂ、のどちらかが弁座１２１に当接していて通気孔を遮断しているので、温かい液体飲料が容器内に収容されていると内部の空気圧が上昇する。
スライダ１７１を回動し始めると、弁体１２２ａ又は１２２ｂが弁座１２１から離れるので通気孔から内部の圧力が外部に逃げるので、吸飲チューブ６０が伸長したときには内圧が除圧されていることになり、ストローの先が飲料中に入っていても吸飲チューブの吸飲口から内圧にて飲料が噴き出すことはない。
また、吸飲チューブが伸長の状態では弁体１２３が弁座１２１に当接しているので吸飲時に通気孔から飲料がもれることもない。
【図面の簡単な説明】
【００３６】
【図１】本発明に係る飲料容器の縦断面図を示す。
【図２】飲料容器の斜視図を示す。
【図３】外側シェルとスライダと内側シェルを分離した説明図を示す。
【図４】（ａ）は外側シェルの裏面図を示し、（ｂ）はスライダの裏面図を示し、（ｃ）はスライダの幅方向の断面図を示す。
【図５】蓋体側の拡大断面図を示し、（ａ）はスライダ７１がスライド全開位置にある状態の説明図で、（ｂ）はスライダ７１がスライド全閉位置にある状態の説明図を示す。
【図６】飲料容器を分解した縦断面図を示す。
【図７】平面スライドタイプの実施例を示す。
【図８】平面スライドタイプの断面図を示し、（ａ）は吸飲チューブが開いた状態を示し、（ｂ）は吸飲チューブが屈曲し、内部流路を閉じた状態を示す。
【図９】回動スライドタイプの実施例を示し、（ａ）は斜視図、（ｂ）は平面図をそれぞれ示す。
【符号の説明】
【００３７】
１      飲料
２      ストロー
１０    飲料容器用キャップ
１１    内部空間
２１    弁座
２１ａ  通気孔
２２、２３  弁体
３０    容器本体
３１    開口部
３１ａ  開口部の雄ネジ部
３２    飲料収容部
４０    蓋体
４１    吸飲チューブの吸飲口収納部
４２    シール材
５０    内側シェル
５０ａ  雌ネジ部
５０ｃ  吸飲チューブ取付台座
５１    吸飲チューブ取付孔
５３    内側シェルガイドレール
５３ａ  ガイド凹部
５３ｂ  固定用凸部
５４    弁座取付孔
５５    屈曲支点部材
５６    係止爪受け部
６０    吸飲チューブ
６０ａ  チューブ孔
６２    吸飲口
６３    抜止鍔
６４    ストロー取付部
７０    スライド溝
７１    スライダ
７２    押込部
７３    スライダ本体
７４    スライド片
７４ａ、７４ｂ  固定用凹部
７５    つまみ
７６    外側シェル
７６ａ  係止爪
７６ｂ  指掛部
７７    外側シェルガイドレール
７８    スライダ用開口部
７８ａ  吸飲口用開口部
【図１】
2007176537.tif 000003
【図２】
2007176537.tif 000004
【図３】
2007176537.tif 000005
【図４】
2007176537.tif 000006
【図５】
2007176537.tif 000007
【図６】
2007176537.tif 000008
【図７】
2007176537.tif 000009
【図８】
2007176537.tif 000010
【図９】
2007176537.tif 000011